(57)【要約】【課題】制御装置に複数の出力装置が接続されているデータ再生システムにおいて、他の出力装置の再生指示の影響を受けることなく、出力装置で自由にコンテンツデータを再生できるようにすることである。【解決手段】データ再生システム１は、複数の記録媒体を収容するディスク再生装置２０と、コンテンツデータを出力する複数の出力装置１０と、ディスク再生装置２０にコンテンツデータを再生させる制御装置３０と、コンテンツデータが保存された記憶装置とを備え、ディスク再生装置２０または制御装置３０は、当該ディスク再生装置２０を再生動作させている出力装置と、新たに再生指示を行った出力装置とが同一であるか否かを判別し、両者が異なる場合には当該新たな再生指示を行った出力装置により指定されたコンテンツデータを記憶装置から読み出して出力装置に送信するように構成されている。【選択図】図１
2006024311.tif 000002
【特許請求の範囲】
【請求項１】
複数の記録媒体を収容して各記録媒体のコンテンツデータを選択的に再生するディスク再生装置と、
コンテンツデータに対する再生指示を入力し、前記ディスク再生装置により再生されたコンテンツデータを出力する複数の出力装置と、
前記出力装置から再生を指示されたコンテンツデータが記録された記録媒体を収容するディスク再生装置に前記再生指示されたコンテンツデータを再生させる制御装置と、
前記コンテンツデータが保存された記憶装置と
を備え、
前記ディスク再生装置または前記制御装置は、当該ディスク再生装置を再生動作させている出力装置と、当該ディスク再生装置に対して新たに再生指示を行った出力装置とが同一であるか否かを判別し、両者が異なる場合には当該新たな再生指示を行った出力装置により指定されたコンテンツデータを前記記憶装置から読み出して前記出力装置に送信するように構成されていることを特徴とするデータ再生システム。
【請求項２】
前記記憶装置は、前記ディスク再生装置に接続されていることを特徴とする請求項１に記載のデータ再生システム。
【請求項３】
前記記憶装置は、当該記憶装置が接続されているディスク再生装置に収容されている複数の記憶媒体のコンテンツデータが記憶されていることを特徴とする請求項２に記載のデータ再生システム。
【請求項４】
前記記憶装置は、当該記憶装置が接続されているディスク再生装置に収容されている複数の記憶媒体のコンテンツデータのうち再生頻度が高いコンテンツデータが記憶されていることを特徴とする請求項２に記載のデータ再生システム。
【請求項５】
前記記憶装置は、当該記憶装置が接続されているディスク再生装置以外のディスク再生装置に収容されている記憶媒体のコンテンツデータが記憶されていることを特徴とする請求項２に記載のデータ再生システム。
【請求項６】
前記記憶装置は、当該記憶装置が接続されているディスク再生装置以外のディスク再生装置に収容されている記憶媒体のコンテンツデータのうち再生頻度が高いコンテンツデータが記憶されていることを特徴とする請求項２に記載のデータ再生システム。
【請求項７】
前記記憶装置は、前記制御装置に接続されていることを特徴とする請求項１乃至請求項６のいずれか一項に記載のデータ再生システム。
【請求項８】
前記記憶装置には、前記制御装置に接続されたすべてのディスク再生装置に収容された記録媒体に記憶されているコンテンツデータが記憶されていることを特徴とする請求項７に記載のデータ再生システム。
【請求項９】
前記記憶装置には、前記制御装置に接続されたすべてのディスク再生装置に収容された記録媒体に記憶されているコンテンツデータのうち再生頻度が高いコンテンツデータが記憶されていることを特徴とする請求項７に記載のデータ再生システム。
【請求項１０】
前記記憶装置には、コンテンツデータが圧縮されて記憶されていることを特徴とする請求項１乃至請求項９のいずれか一項に記載のデータ再生システム。
【請求項１１】
複数の記録媒体を収容して各記録媒体のコンテンツデータを選択的に再生するディスク再生装置に対してコンテンツデータを指定してその再生を指示する再生指示処理と、
当該ディスク再生装置を再生動作させている出力装置と、当該ディスク再生装置に対して新たに再生指示を行った出力装置とが同一であるか否かを判別する判別処理と、
両者が異なる場合には、当該新たな再生指示を行った出力装置により指定されたコンテンツデータを記憶装置から読み出して前記出力装置に送信するデータ送信処理と
を行うことを特徴とするデータ再生方法。
【発明の詳細な説明】
【技術分野】
【０００１】
本発明は、データ再生システムおよびデータ再生方法に関する。
【背景技術】
【０００２】
従来から、ＤＶＤ（Digital Versatile Disc）やＣＤ（Compact Disc）等のディスク状記録媒体に記録されたコンテンツデータを再生するディスク再生装置として、記録媒体を複数枚収容してその中から選択的に再生する、いわゆるチェンジャ機能を有するディスク再生装置が知られている（例えば、特許文献１等参照）。
【０００３】
近年、このようなディスク再生装置が制御装置（すなわち、いわゆるコントロールサーバ）に１台または複数台接続され、さらに制御装置に複数の出力装置が接続されて、出力装置からの再生指示に従ってディスク再生装置の記録媒体に記録されたコンテンツデータの再生を楽しむことができるデータ再生システムが開発されている。
【特許文献１】特開２０００−２２２８０８号公報
【発明の開示】
【発明が解決しようとする課題】
【０００４】
しかしながら、前記のように制御装置に複数の出力装置が接続されているデータ再生システムの場合、ある出力装置の再生指示に応じてディスク再生装置が記録媒体のコンテンツデータの再生動作を行っている最中に、他の出力装置からそのディスク再生装置に収容されている他の記録媒体の再生指示が入力されても、後者の記録媒体を再生することができないという問題があった。
【０００５】
また、２つの出力装置から同じ記録媒体のコンテンツデータの再生が指示された場合には、後から再生指示された出力装置では、先に再生指示された出力装置が再生しているものと同じ状態、すなわち、映画のコンテンツデータであれば映画の途中から、また、カラオケであればカラオケの曲の途中からしか再生できないという問題もあった。
【０００６】
本発明は、制御装置に複数の出力装置が接続されているデータ再生システムにおいて、他の出力装置の再生指示の影響を受けることなく、出力装置で自由にコンテンツデータを再生できるようにすることである。
【課題を解決するための手段】
【０００７】
前記の問題を解決するために、請求項１のデータ再生システムは、
複数の記録媒体を収容して各記録媒体のコンテンツデータを選択的に再生するディスク再生装置と、
コンテンツデータに対する再生指示を入力し、前記ディスク再生装置により再生されたコンテンツデータを出力する複数の出力装置と、
前記出力装置から再生を指示されたコンテンツデータが記録された記録媒体を収容するディスク再生装置に前記再生指示されたコンテンツデータを再生させる制御装置と、
前記コンテンツデータが保存された記憶装置と
を備え、
前記ディスク再生装置または前記制御装置は、当該ディスク再生装置を再生動作させている出力装置と、当該ディスク再生装置に対して新たに再生指示を行った出力装置とが同一であるか否かを判別し、両者が異なる場合には当該新たな再生指示を行った出力装置により指定されたコンテンツデータを前記記憶装置から読み出して前記出力装置に送信するように構成されていることを特徴とする。
【０００８】
請求項２に記載の発明は、請求項１に記載のデータ再生システムにおいて、前記記憶装置は、前記ディスク再生装置に接続されていることを特徴とする。
【０００９】
請求項３に記載の発明は、請求項２に記載のデータ再生システムにおいて、前記記憶装置は、当該記憶装置が接続されているディスク再生装置に収容されている複数の記憶媒体のコンテンツデータが記憶されていることを特徴とする。
【００１０】
請求項４に記載の発明は、請求項２に記載のデータ再生システムにおいて、前記記憶装置は、当該記憶装置が接続されているディスク再生装置に収容されている複数の記憶媒体のコンテンツデータのうち再生頻度が高いコンテンツデータが記憶されていることを特徴とする。
【００１１】
請求項５に記載の発明は、請求項２に記載のデータ再生システムにおいて、前記記憶装置は、当該記憶装置が接続されているディスク再生装置以外のディスク再生装置に収容されている記憶媒体のコンテンツデータが記憶されていることを特徴とする。
【００１２】
請求項６に記載の発明は、請求項２に記載のデータ再生システムにおいて、前記記憶装置は、当該記憶装置が接続されているディスク再生装置以外のディスク再生装置に収容されている記憶媒体のコンテンツデータのうち再生頻度が高いコンテンツデータが記憶されていることを特徴とする。
【００１３】
請求項７に記載の発明は、請求項１乃至請求項６のいずれか一項に記載のデータ再生システムにおいて、前記記憶装置は、前記制御装置に接続されていることを特徴とする。
【００１４】
請求項８に記載の発明は、請求項７に記載のデータ再生システムにおいて、前記記憶装置には、前記制御装置に接続されたすべてのディスク再生装置に収容された記録媒体に記憶されているコンテンツデータが記憶されていることを特徴とする。
【００１５】
請求項９に記載の発明は、請求項７に記載のデータ再生システムにおいて、前記記憶装置には、前記制御装置に接続されたすべてのディスク再生装置に収容された記録媒体に記憶されているコンテンツデータのうち再生頻度が高いコンテンツデータが記憶されていることを特徴とする。
【００１６】
請求項１０に記載の発明は、請求項１乃至請求項９のいずれか一項に記載のデータ再生システムにおいて、前記記憶装置には、コンテンツデータが圧縮されて記憶されていることを特徴とする。
【００１７】
請求項１１に記載の発明は、データ再生方法であって、
複数の記録媒体を収容して各記録媒体のコンテンツデータを選択的に再生するディスク再生装置に対してコンテンツデータを指定してその再生を指示する再生指示処理と、
当該ディスク再生装置を再生動作させている出力装置と、当該ディスク再生装置に対して新たに再生指示を行った出力装置とが同一であるか否かを判別する判別処理と、
両者が異なる場合には、当該新たな再生指示を行った出力装置により指定されたコンテンツデータを記憶装置から読み出して前記出力装置に送信するデータ送信処理と
を行うことを特徴とする。
【発明の効果】
【００１８】
本発明によれば、制御装置に複数の出力装置が接続されているデータ再生システムにおいて、他の出力装置の再生指示の影響を受けることなく、出力装置で自由にコンテンツデータを再生することができる。
【発明を実施するための最良の形態】
【００１９】
以下、本発明に係るデータ再生システムおよびデータ再生方法の実施の形態について、図面を参照して説明する。
【００２０】
［第１の実施の形態］
図１は、本実施形態のデータ再生システムの構成を示すブロック図である。データ再生システム１は、出力装置１０ａ、１０ｂ、…およびディスク再生装置２０ａ、２０ｂ、２０ｃが電話回線（HPNA（Home Phoneline Networking Alliance））等からなる接続線２およびＩＥＥＥ１３９４等に基づくデータ伝送を行う接続線３を介してそれぞれ制御装置３０に接続されて構成されている。また、本実施形態では、ディスク再生装置２０ａ、２０ｂ、２０ｃには、ＨＤＤからなる記憶装置２１ａ、２１ｂ、２１ｃがそれぞれ接続されている。
【００２１】
なお、出力装置およびディスク再生装置の台数は特に限定されない。また、ディスク再生装置に接続される記憶装置として、ＨＤＤの代わりにＤＶＤ−ＲＡＭやＤＶＤ±Ｒ／ＲＷ等の記録媒体を用いることも可能である。
【００２２】
また、本実施形態では、ディスク再生装置２０ａ、２０ｂ、２０ｃがデイジーチェイン接続により直列に接続されている場合を示したが、図２に示すように並列に接続することも可能である。さらに、本実施形態のデータ再生システム１は、接続線３を介して音声や映像信号を送受信可能とされているが、別途ＲＣＡコード等のＡＶ信号伝送線を使用したり、無線ＬＡＮで伝送するように構成することも可能である。
【００２３】
次に、出力装置１０ａ、１０ｂ、…、ディスク再生装置２０ａ、２０ｂ、２０ｃおよび制御装置３０についてそれぞれ説明する。なお、出力装置１０ａ、１０ｂ、…はそれぞれ同一の構成を有し、ディスク再生装置２０ａ、２０ｂ、２０ｃについても互いに同一の構成を有するため、以下の説明では出力装置１０およびディスク再生装置２０として説明する。
【００２４】
出力装置１０は、視聴したいコンテンツデータに対する再生指示を入力し、制御装置３０から送信されてきたコンテンツデータを出力するための装置である。図３に示すように、出力装置１０は、マイクロコンピュータ１０１に入力部１０２、通信部１０３、出力部１０４、表示部１０５、デコーダ１０６等が接続されて構成されている。出力装置１０には、この他にも、ＨＤＤ等が備えられている。
【００２５】
なお、デコーダ１０６は、制御装置３０から送信されてきたコンテンツデータ等を、そのコンテンツデータのデータ形式（例えば、ＰＣＭ（Pulse Code Modulation）、ＡＣ−３（Audio Code number 3）、ＭＰ３（MPEG Audio Layer-3）、ＷＭＡ（Windows（登録商標） Media Audio）、ＭＩＤＩ（Musical Instrument Digital Interface）形式、ＭＰＥＧ２（Moving Picture Experts Group-2）、ＭＰＥＧ４等）に応じてデコードするように構成されているとよい。
【００２６】
マイクロコンピュータ１０１は、図示しないＣＰＵ（Central Processing Unit）やＲＯＭ（Read Only Memory）、ＲＡＭ（Random Access Memory）等を備えており、出力装置１０を統括的に制御するように構成されている。ＲＯＭには、出力装置１０を制御するための主制御プログラムやこの主制御プログラムに係る各種アプリケーションプログラムが格納されており、ＲＡＭには、これら各種プログラムの実行ファイルやその実行に際して生じる各種データ等が一時的に格納されるようになっている。
【００２７】
入力部１０２は、コンテンツデータを選択して再生指示を行わせたりディスク再生装置２０や制御装置３０に対する指示を入力するための入力キーや、指示内容等の選択時に用いるジョグダイヤル等を備えている。
【００２８】
通信部１０３は、接続線２を介して制御装置３０との間でコンテンツデータ等のデータの送受信を行うためのインターフェース（例えば、ＨＰＮＡ等に応じたインターフェース）を備えている。
【００２９】
出力部１０４は、Ｄ／Ａ変換器、アンプ、スピーカ、或いは複数のスピーカからなるスピーカシステム等を備えており、マイクロコンピュータ１０１から送信されるコンテンツデータ等の各種音声データをアナログ信号に変換して前記スピーカから放音するように構成されている。
【００３０】
表示部１０５は、ＬＣＤ（Liquid Crystal Display）やプラズマディスプレイ等の表示装置を備え、マイクロコンピュータ１０１から送信されるコンテンツデータ等の各種表示データ（例えば、映像データ）を表示するように構成されている。また、表示部１０５は、制御装置３０からマイクロコンピュータ１０１を介して送られてくるディスク再生装置２０内のディスク情報よりなるコンテンツリストを表示するように構成されており、前記入力部１０２で視聴したいコンテンツデータを選択することができる。
【００３１】
デコーダ１０６は、マイクロコンピュータ１０１から送られてきたコンテンツデータ等をデコードし、そのデコードしたコンテンツデータ等をマイクロコンピュータ１０１に送り返すように構成されている。
【００３２】
マイクロコンピュータ１０１は、入力部１０２から入力されたコンテンツデータの再生指示に応じてその再生指示を通信部１０３を介して制御装置３０に送信し、また、入力部１０２から入力された各種指示に応じて、例えば、出力装置１０で視聴することが可能なコンテンツデータを示すコンテンツリストを通信部１０３を介して制御装置３０から入手して表示部１０５に表示させるように構成されている。
【００３３】
また、マイクロコンピュータ１０１は、通信部１０３を介して制御装置３０から送信されてきた圧縮された状態のコンテンツデータ等をデコーダ１０６に送ってデコードさせ、デコーダ１０６から送信されてきたデコードされたコンテンツデータ等を出力部１０４や表示部１０５に送り、出力部１０４や表示部１０５に放音、表示させるように構成されている。なお、後述するように、コンテンツデータ等を制御装置３０でデコードするように構成した場合には、マイクロコンピュータ１０１は制御装置３０から送信されてきたコンテンツデータ等をそのまま出力部１０４や表示部１０５に送るように構成される。
【００３４】
次に、ディスク再生装置２０は、複数のディスク状記録媒体を収容して各記録媒体のコンテンツデータを選択的に再生するための装置である。各ディスク再生装置２０ａ、２０ｂ、２０ｃ（図１参照）には、それぞれのディスク再生装置を一意的に識別するためのチェンジャコードが設定されている。
【００３５】
ここで、各記録媒体には、ＴＯＣ（Table Of Contents）情報やディスク番号、ディスクコード（ディスク製造元、カタログ番号等の情報）、ディスクタイトル、トラックタイトル等のテキストデータ（以下、ディスク関連データという。）に加え、音声や画像等（コンテンツ）のコンテンツデータが記録されている。このような記録媒体としては、例えばＣＤやＤＶＤ、ＣＤ―Ｒ（CD-Recordable）、ＣＤ―ＲＷ（CD-ReWritable）等が挙げられる。ディスク再生装置２０は、記録媒体にディスクタイトル等のタイトル情報が記録されていない場合には、インターネット等の外部ネットワークを介してタイトル情報等を記録したデータベースにＴＯＣ情報を送信させてタイトル情報を取得するように構成されている。
【００３６】
図４（Ａ）に示すように、ディスク再生装置２０の基板２０１の上面には、図示しないロータリートレイ制御モータの駆動により図中矢印Ａ方向に回転可能とされたロータリートレイ２０２が配置されており、ロータリートレイ２０２の上面には、全体として放射状に形成された複数個のラック２０３が立設されている。各ラック２０３には、それぞれ記録媒体が直立した状態で収容されるようになっている。
【００３７】
ロータリートレイ２０２には、図示しないディスク有無検出センサおよびラック位置検出センサが設けられており、ディスク有無検出センサは、ラック上の記録媒体の有無を検出し、また、ラック位置検出センサは、ロータリートレイ２０２の各ラック２０３に対応する図示しない切り欠きを光学的検出手段で検出するように構成されている。
【００３８】
ロータリートレイ２０２の中心部には、記録媒体に記録されたディスク関連データとコンテンツデータとを読み出すための図示しないピックアップユニットを備えた読取部２０４が配置されている。
【００３９】
ロータリートレイ２０２の上方には、図示しないローディング機構制御モータの駆動により記録媒体のローディング処理およびアンローディング処理を行うローディング機構部２０５が配設されている。ここで、ローディング処理とは、アンローディング位置２０６にあるラック上の記録媒体を１枚引き出して図中矢印Ｂ方向に搬送し、読取部２０４に収容する処理であり、アンローディング処理とは、読取部２０４にある記録媒体を取り出して搬送し、アンローディング位置２０６にあるラックに収容する処理である。
【００４０】
さらに、ロータリートレイ２０２の上方には、ロータリートレイ２０２のラック２０３に載置された記録媒体を装置前方のディスク交換口２０８からイジェクトするためのイジェクト部２０７が配設されている。ディスク交換口２０８には、シャッタ２０９が設けられており、シャッタ２０９は、図示しないシャッタ開閉制御モータの駆動により図中矢印Ｃ方向に移動してディスク交換口２０８を開閉するようになっている。
【００４１】
また、図４（Ｂ）に示すように、ディスク再生装置２０の正面には、各種操作キーや操作ダイアル等を備えた入力部２１０およびＬＣＤ等の表示装置を備えた表示部２１１が設けられている。表示部２１１には、例えば、再生中の記録媒体のトラック番号やＴＯＣデータ、ディスク再生装置２０の各種動作モード、シャッタ２０９の開閉状態などが表示されるようになっている。
【００４２】
ディスク再生装置２０には、マイクロコンピュータが内蔵されている。図５は、マイクロコンピュータを中心とするディスク再生装置の構成を示すブロック図である。
【００４３】
マイクロコンピュータ２１２は、図示しないＣＰＵやＲＯＭ、ＲＡＭ等を備えており、ディスク再生装置２０を統括的に制御するように構成されている。ＲＯＭには、ディスク再生装置２０を制御するための主制御プログラムやこの主制御プログラムに係る各種アプリケーションプログラムが格納されており、ＲＡＭには、これら各種プログラムの実行ファイルやその実行に際して生じる各種データ等が一時的に格納されるようになっている。
【００４４】
マイクロコンピュータ２１２には、前述した入力部２１０、表示部２１１、ロータリートレイ制御モータ２１３、ローディング機構制御モータ２１４、シャッタ開閉制御モータ２１５、ラック位置検出センサ２１６およびディスク有無検出センサ２１７等のほか、前記ピックアップユニット２１８や、接続線３を介して制御装置３０との間でコンテンツデータ等のデータの送受信を行うためのインターフェース（例えば、ＩＥＥＥ１３９４等に応じたインターフェース）を備えた通信部２１９が接続されている。
【００４５】
本実施形態では、マイクロコンピュータ２１２には、さらに、記憶装置２１が接続されており、記憶装置２１には、記憶装置２１が接続されているディスク再生装置２０に収容されている複数の記憶媒体のすべてのコンテンツデータが圧縮されて記憶されている。
【００４６】
ここで、コンテンツデータの音声データは、ＭＰ３、ＷＭＡ、ＡＴＲＡＣ等のフォーマットで、また、映像データはＭＰＥＧ４、Ｈ．２６４等のフォーマットで圧縮されており、これらの圧縮フォーマットはいずれも不可逆圧縮で、再生品質は記録媒体そのものの再生に比べて低下するが、多量のコンテンツデータを記憶することが可能となる。コンテンツデータの音声データや映像データを独自のフォーマットで記憶させることも当然可能である。
【００４７】
マイクロコンピュータ２１２には、記憶装置２１へのコンテンツデータの記憶の際に、コンテンツデータに対応する記録媒体のディスク番号と記憶装置２１内のアドレス、対応するトラック番号と記憶装置２１内のアドレス、および存在する場合にはタイトル情報がトラックごとに記憶され、それらが記載された管理テーブルによって管理されるように構成されている。記憶装置２１には、記憶媒体ごとにフォルダが作成され、このフォルダ内に各トラックが関連付けられて記憶されるようになっている。記録媒体のディスク番号に関連付けられたトラックを一律に並べるように構成することも可能である。
【００４８】
マイクロコンピュータ２１２は、通信部２１９を介して制御装置３０から送信された各種制御データを受け付け可能な状態とされている。
【００４９】
制御データは、後述する制御装置３０のマイクロコンピュータ３０１で生成され、ヘッダと制御命令情報とよりなる。ヘッダには、制御対象となる機器情報（すなわち、前記チェンジャコード等）が記載されており、制御命令情報には、新たな制御指示か否か（以下、フラグという）、制御指示内容（再生、停止等）、ディスク番号、トラック番号等が含まれている。ここで、新たな制御指示（すなわち、フラグが立った状態）とは、あるディスク再生装置２０に制御指示を行った出力装置１０とは異なる出力装置からの制御指示であることを示すものである。
【００５０】
ディスク再生装置２０のマイクロコンピュータ２１２は、送信されてきた制御データに応じてその制御データのヘッダに記載されているチェンジャコードを参照してその制御データが自機に対するものであるか否かを判定するように構成されている。具体的には、マイクロコンピュータ２１２は、制御データのヘッダを解析し、これと自機のメモリに記憶されている自機のチェンジャコードの一致または不一致を確認するようになっている。
【００５１】
マイクロコンピュータ２１２は、制御データが自機に対するものでないと判定すると、その制御データを通信部２１９を介して次のディスク再生装置に送信するようになっている。
【００５２】
マイクロコンピュータ２１２は、前記制御データが自機に対するものであると判定すると、その制御データに応じた制御を行うように構成されている。具体的には、マイクロコンピュータ２１２は、制御データの制御命令情報を解析して、フラグが立っているかどうかおよび指示が「再生」であるか「停止」であるか等を識別するように構成されている。
【００５３】
そして、フラグが立っていない再生指示を受けた場合には、マイクロコンピュータ２１２は、自機が再生動作中でなければ、再生指示に応じてラック位置検出センサ２１６を作動させながらロータリートレイ制御モータ２１３を駆動させ、ロータリートレイ２０２を回転させてこのコンテンツデータが記録されている記録媒体をアンローディング位置２０６に移動させ、ディスク有無検出センサ２１７を作動させてラック２０３に所定の記録媒体があることを確認したうえで、ローディング機構制御モータ２１４を駆動させてローディング機構部２０５にこの記録媒体を搬送させ、読取部２０４のピックアップユニット２１８に目的のコンテンツデータを読み取らせるようになっている。
【００５４】
その際、マイクロコンピュータ２１２は、制御装置３０に対して再生中であることを示す再生信号を送り返すように構成されている。マイクロコンピュータ２１２は、ピックアップユニット２１８が目的のコンテンツデータを読み取ると、そのコンテンツデータを通信部２１９を介して制御装置３０に送信するように構成されている。
【００５５】
また、この場合、自機が再生動作中であれば、マイクロコンピュータ２１２は、再生中の記録媒体の再生を停止し、制御データの制御命令情報中のディスク番号やトラック番号で指定された記録媒体のコンテンツデータを新たに再生するように構成されている。
【００５６】
フラグが立っていない停止指示を受けた場合には、マイクロコンピュータ２１２は、現在再生中の記録媒体のディスク番号やトラック番号と制御データ中のディスク番号やトラック番号が一致するか否かを識別し、一致する場合は再生中の記録媒体の再生を停止するようになっている。
【００５７】
一方、マイクロコンピュータ２１２は、フラグが立っている再生指示を受け取ると、すなわち、自機が再生動作中に他の出力装置１０から再生指示が送られてくると、現在再生中の記録媒体の再生を続行しつつ、新たに当該他の出力装置１０から再生指示されたコンテンツデータについては、前述した記憶装置２１に記憶されたコンテンツデータの再生を行うように構成されている。
【００５８】
具体的には、制御データ中のディスク番号やトラック番号に対応するコンテンツデータを、前述した管理テーブルを参照して検索し、対応するアドレスにあるコンテンツデータを再生するようになっている。記憶装置２１から読み出されたコンテンツデータは、通信部２１９を介して制御装置３０に送信するように構成されている。タイトル情報が存在する場合には、必要があれば、タイトル情報もともに送信される。
【００５９】
また、フラグが立っている停止指示を受け取ると、マイクロコンピュータ２１２は、記憶装置２１からコンテンツデータを再生する動作を停止するようになっている。
【００６０】
マイクロコンピュータ２１２には、この他にも、入力部２１０からの各種制御を入力可能とされている。例えば、入力部２１０から特定の記録媒体のイジェクト指示が入力されると、その指示に応じてラック位置検出センサ２１６を作動させながらロータリートレイ制御モータ２１３を駆動させ、ロータリートレイ２０２を回転させて指定された記録媒体をイジェクト部２０７の位置まで移動させ、シャッタ開閉制御モータ２１５を駆動させてシャッタ２０９を開方向に移動させて、指定された記録媒体をディスク交換口２０８からイジェクトさせるようになっている。
【００６１】
本実施形態では、マイクロコンピュータ２１２は、記録媒体をイジェクトすると、通信部２１９を介して制御装置３０に対してその記録媒体のディスク関連データをイジェクト情報として送信するように構成されている。また、ディスク再生装置２０に、新たに記録媒体がインサートされた場合には、マイクロコンピュータ２１２は、新たにインサートされた記録媒体のディスク関連データを読み取って制御装置３０にインサート情報として送信すると同時に、記憶装置２１にその記録媒体に記録されているコンテンツデータを圧縮して記憶させるようになっている。
【００６２】
次に、制御装置３０は、出力装置１０からの再生指示に応じてそのコンテンツデータが記録された記録媒体を収容するディスク再生装置２０にコンテンツデータの再生を指示し、ディスク再生装置２０からコンテンツデータが送信されてくるとそれを出力装置１０に転送するための装置である。
【００６３】
制御装置３０は、図６に示すように、マイクロコンピュータ３０１に出力装置１０またはディスク再生装置２０との間でコンテンツデータ等のデータの送受信を行うためのインターフェースをそれぞれ備えた通信部３０２および通信部３０３、各種指示を入力するための操作キー等を備えた入力部３０４、およびデコーダ３０５が接続されて構成されている。
【００６４】
本実施形態では、さらに、制御装置３０に出力装置１０の機能を持たせるために、制御装置３０には、スピーカ等を備えた出力部３０６およびＬＣＤ等の表示装置を備えた表示部３０７等が接続されており、図示しないＨＤＤ等も備えられている。
【００６５】
マイクロコンピュータ３０１の図示しない記憶部には、ディスク再生装置２０ａ、２０ｂ、２０ｃがそれぞれ収容しているコンテンツデータのコンテンツリストが保存されており、このコンテンツリストは、ディスク再生装置２０ａ、２０ｂ、２０ｃからそれぞれ送信されてくる前記イジェクト情報およびインサート情報に基づいて書き換えられるようになっている。前述したように、出力装置１０からコンテンツリストの参照要求があると、マイクロコンピュータ３０１は、この参照要求に応じて参照要求した出力装置１０にコンテンツリストを通信部３０２を介して送信するように構成されている。
【００６６】
また、マイクロコンピュータ３０１は、ディスク再生装置２０から再生操作中であることを示す再生信号が送られてくると、その情報をコンテンツリストに書き加えるようになっている。
【００６７】
マイクロコンピュータ３０１は、出力装置１０から送信されたコンテンツデータの制御指示に応じて、前述した制御データを生成するように構成されている。具体的には、出力装置１０から再生指示が送信されてきた場合には、マイクロコンピュータ３０１は、前記コンテンツリストのコンテンツデータの欄にその出力装置１０の機器コード（例えば、図１のシステムでは１０ａ、１０ｂ等）を記入し、そのコンテンツデータを有する記録媒体を収容しているディスク再生装置２０のチェンジャコードを制御データのヘッダ部分に記入するようになっている。出力装置１０から停止指示が送信されてきた場合は、コンテンツリストのコンテンツデータの欄からその出力装置１０の機器コードを消去すると同時に、制御データのヘッダ部分にチェンジャコードを記入する。
【００６８】
その際、マイクロコンピュータ３０１は、コンテンツリストを参照して、制御データを送ろうとするディスク再生装置２０が再生動作中でなければ制御データのヘッダ部分のフラグは立てず、また、目的のディスク再生装置２０が再生動作中である場合には、新たにそのディスク再生装置２０に再生を指示してきた出力装置１０が、そのディスク再生装置２０を再生動作させている出力装置１０と同一であればフラグは立てないが、異なる出力装置１０である場合にはフラグを立てるように構成されている。また、停止指示の場合にも、同様に同一の出力装置１０であればフラグを立てず、異なる出力装置１０であればフラグを立てるようになっている。
【００６９】
そして、マイクロコンピュータ３０１は、制御データの制御指示内容部分に、再生・停止やディスク番号等の必要な情報を書き込んで、通信部３０３を介してディスク再生装置２０側に送信するように構成されている。
【００７０】
マイクロコンピュータ３０１は、ディスク再生装置２０からコンテンツデータが送信されてくると、コンテンツリストを参照して再生指示を行った出力装置１０に通信部３０２を介してそのコンテンツデータを送信するようになっている。その際、必要があれば、デコーダ３０５で圧縮されたコンテンツデータ等をデコードして出力装置１０に送信するように構成されているが、デコーダ３０５は、制御装置３０でコンテンツデータ等の視聴を行うためにコンテンツデータ等をデコードする場合にも用いられる。
【００７１】
マイクロコンピュータ３０１は、この他にも、出力装置１０やディスク再生装置２０からの種々の要求に応じて各種処理を行い、また、入力部３０４から入力された各種指示に応じて出力装置１０、ディスク再生装置２０または制御装置自身に対する各種制御を行うように構成されている。
【００７２】
次に、このデータ再生システム１を用いたデータ再生方法について、図７に示すフローチャートに基づいて説明する。
【００７３】
まず、出力装置１０においてコンテンツデータの選択が行われ入力部１０２から目的のコンテンツデータの再生指示（または停止指示）が入力されると、出力装置１０のマイクロコンピュータ１０２はその再生指示（または停止指示）を制御装置３０に送信する（再生指示処理。ステップＳ１）。本実施形態では、前述したように、制御装置３０においてもコンテンツデータの選択および再生指示（または停止指示）を行うことができる。
【００７４】
制御装置３０のマイクロコンピュータ３０１は、コンテンツリストのコンテンツデータの欄にその出力装置１０の機器コードを記入して、そのコンテンツデータを有する記録媒体を収容しているディスク再生装置２０のチェンジャコードを制御データのヘッダ部分とし、制御データの制御指示内容部分に再生指示（または停止指示）やディスク番号等の必要な情報を書き込んで、制御データを生成させる。
【００７５】
その際、マイクロコンピュータ３０１は、コンテンツリストを参照して、目的とするディスク再生装置２０が再生動作中であるか否かを判定し、ディスク再生装置２０が再生動作中でなければ制御データのヘッダ部分にフラグを立てず、ディスク再生装置２０が再生動作中である場合には、そのディスク再生装置２０に再生（または停止）を指示した出力装置１０が、現在そのディスク再生装置２０に再生動作をさせている出力装置１０と同一であるか否かを判別する（判別処理。ステップＳ２）。
【００７６】
すなわち、両者が同一の出力装置１０であれば制御データのヘッダ部分にフラグを立てず、異なる出力装置１０であればフラグを立てる。そして、ディスク再生装置２０に対してその制御データを送信する。
【００７７】
ディスク再生装置２０のマイクロコンピュータ２１２は、送信されてきた制御データが自機に対するものであると判定すると、制御データの制御命令情報を解析して、フラグが立っているかどうかおよび再生指示であるか等を識別する。
【００７８】
そして、マイクロコンピュータ２１２は、制御データ中にフラグが立っていない場合は、自機に収容された記録媒体のローディング処理を行ってコンテンツデータを再生し、自機がすでに再生動作を行っている場合には一旦その再生を停止し、新たに指定されたコンテンツデータの再生を行って、制御装置３０に送信する（ステップＳ３）。また、制御指示が停止指示である場合には、再生動作を停止する。
【００７９】
また、制御データ中にフラグが立っている場合、すなわち、自機が記録媒体を用いて再生動作中であり、かつ他の出力装置１０から再生指示が入力された場合には、マイクロコンピュータ２１２は、現在再生中の記録媒体の再生を続行しつつ、新たに当該他の出力装置１０から再生指示されたコンテンツデータを記憶装置２１から読み出して制御装置３０に送信する（ステップＳ４）。また、制御指示が停止指示である場合には、記憶装置２１からの再生動作を停止する。
【００８０】
制御装置３０のマイクロコンピュータ３０１は、ディスク再生装置２０からコンテンツデータが送信されてくると、コンテンツリストのそのコンテンツデータの欄に記載された出力装置１０の機器コードを参照して、その出力装置１０にその目的のコンテンツデータを送信する。
【００８１】
出力装置１０のマイクロコンピュータ１０１は、送信されてきた目的のコンテンツデータをデコーダ１０６でデコードし、その各種音声データをアナログ信号に変換して出力部１０４のスピーカ等から放音し、コンテンツデータの各種表示データを表示部１０５のＬＣＤ等に表示させる。再生指示を制御装置３０で行った場合には、制御装置３０は、送信されてきたコンテンツデータをデコーダ３０５でデコードし、出力部３０６および表示部３０７にコンテンツデータの音声データおよび表示データを放音、表示させる。
【００８２】
以上のように、本実施形態のデータ再生システム１およびデータ再生方法によれば、制御装置３０のマイクロコンピュータ３０１は、ディスク再生装置２０を再生動作させている出力装置と、当該ディスク再生装置２０に対して新たに再生指示を行った出力装置とが異なると判別すると、記憶装置２１に記憶された目的のコンテンツデータを読み出す。
【００８３】
そのため、１つのディスク再生装置２０に複数の出力装置１０からそれぞれ再生指示が送信されても、出力装置１０は他の出力装置１０の再生指示の影響を受けることなく目的のコンテンツデータを入手することができ、自由にコンテンツデータを再生することができる。
【００８４】
なお、本実施形態では、ディスク再生装置２０に再生動作をさせている先に再生指示を行った出力装置と、そのディスク再生装置２０に新たに、すなわち後から再生を指示した出力装置とが同一であるか否かの判別を、制御装置３０で制御データにフラグを立てることにより行う場合について述べた。しかし、この判別処理をディスク再生装置２０が行うように構成することも可能である。
【００８５】
すなわち、制御装置３０で制御データ中にフラグを立てる代わりに、例えば、制御データ中の制御命令情報部分に再生指示を行った出力装置１０の機器コードを記入しておき、ディスク再生装置２０のマイクロコンピュータ２１２がその機器コードを読み取って、先に再生を指示しそのディスク再生装置２０を再生動作させている制御データ中の出力装置１０の機器コードと比べるようにする。
【００８６】
そして、ディスク再生装置２０に再生動作をさせている先に再生指示を行った出力装置の機器コードと、そのディスク再生装置２０に後から再生を指示した出力装置の機器コードとが同一であるか否かを判別して、前述した場合と同様に、自機の記録媒体或いは記憶装置２１からの再生を行う。
【００８７】
［第２の実施の形態］
データ再生システムの構成やデータ再生方法の手順は、前記第１の実施の形態と同様であるが、ディスク再生装置の記憶装置に、記憶装置が接続されているディスク再生装置に収容されている複数の記録媒体のすべてのコンテンツデータを記憶させておく代わりに、そのすべてのコンテンツデータのうち再生頻度が高いコンテンツデータのみを圧縮して記憶させておくように構成することも可能である。
【００８８】
具体的には、例えば、ディスク再生装置のマイクロコンピュータが自機に収容された記録媒体の再生頻度を常時監視するように構成し、再生回数が所定の回数、或いは所定期間内の所定の再生回数に達した場合に、その記録媒体を再生しながら圧縮エンコードして記憶装置に記憶させる。または、自機が再生動作中でないことを検出してその間に圧縮エンコードを行ってもよい。
【００８９】
或いは、ユーザが選択した記録媒体を圧縮エンコードして記憶装置に記憶することも可能である。
【００９０】
このように再生頻度の高いコンテンツデータのみを選択的に記憶させれば、第１の実施の形態に記載された発明の効果に加えて、さらに、記憶装置としてのＨＤＤ等の記憶媒体の使用率を軽減することができ、記憶媒体を効率よく用いることが可能となる。
【００９１】
［第３の実施の形態］
また、データ再生システムの構成は、前記第１の実施の形態と同様であるが、ディスク再生装置の記憶装置に、記憶装置が接続されているディスク再生装置に収容されているコンテンツデータを記憶させておく代わりに、記憶装置が接続されているディスク再生装置以外のディスク再生装置に収容されているコンテンツデータを記憶させておくことも可能である。その際、データ再生システムのディスク再生装置に収容されている記録媒体のコンテンツデータはすべて、いずれかの記憶装置に記憶されているように構成される。
【００９２】
例えば、図１に示したデータ再生システム１を用いて説明すれば、ディスク再生装置２０ａに接続されている記憶装置２１ａには、ディスク再生装置２０ｂに収容されている記録媒体に記録されたすべてのコンテンツデータを記憶させ、記憶装置２１ｂにはディスク再生装置２０ｃのすべてのコンテンツデータを、さらには記憶装置２１ｃにはディスク再生装置２０ａのすべてのコンテンツデータをそれぞれ記憶させるように構成される。或いは、例えば、ディスク再生装置２０ａの記憶装置２１ａにディスク再生装置２０ｂ、２０ｃのコンテンツデータを混在させて記憶させるようにしてもよい。
【００９３】
本実施形態では、制御装置ですべてのディスク再生装置の動作状態を管理し、あるディスク再生装置が再生動作中に再生動作を行う可能性が少ない別のディスク再生装置を選択して、前者のディスク再生装置のコンテンツデータを後者のディスク再生装置の記憶装置に記憶させるように構成されている。その際、コンテンツデータのディスク番号やトラック番号とともにどのディスク再生装置の記憶装置に記憶させたかを示す情報が前者のディスク再生装置に記憶される。なお、第２の実施形態のように再生頻度が高いコンテンツデータのみを記憶させる場合も同様である。
【００９４】
この場合、制御装置のマイクロコンピュータは、ディスク再生装置２０ａ、２０ｂ、２０ｃにそれぞれ収容している記録媒体のコンテンツデータのコンテンツリストのほかに、各ディスク再生装置に接続されている記憶装置に保存されているコンテンツデータのコンテンツリストを作成して管理する。そのため、各ディスク再生装置は、記録媒体に関するイジェクト情報およびインサート情報のほか、記憶装置に対するコンテンツデータの保存に関するイジェクト情報およびインサート情報を制御装置に送信するように構成される。
【００９５】
また、本実施形態の場合、データ再生の手順は、出力装置から再生指示が送信されてくると、制御装置はコンテンツリストを参照して、そのコンテンツデータが記録された記録媒体を収容するディスク再生装置が再生動作中でなければ制御データのヘッダ部分にそのディスク再生装置のチェンジャコードを記入し、制御データの制御命令情報にはディスク番号やトラック番号等の必要な情報を書き込んで送信し、そのディスク再生装置にコンテンツデータを再生させる。
【００９６】
また、コンテンツリストから当該ディスク再生装置が再生動作中であると判断すると、制御装置は、制御データのヘッダ部分に記憶装置にそのコンテンツデータが記憶されているディスク再生装置のチェンジャコードを記入する等して、そのディスク再生装置に記憶装置からコンテンツデータを再生させる。その際、記憶装置からの再生であることを示すフラグを制御データのヘッダ部分に立ててもよい。
【００９７】
なお、上記のように制御装置でディスク再生装置が再生動作中か否かを判別する代わりに、ディスク再生装置同士で再生の指示を行うように構成することも可能である。すなわち、例えば、制御データが送信されてきたディスク再生装置が記録媒体の再生動作中である場合に、そのディスク再生装置のマイクロコンピュータで制御データの変更または新たな制御データの作成を行う。
【００９８】
その際、制御データのヘッダ部分を、記憶装置に目的のコンテンツデータが記憶されているディスク再生装置のチェンジャコードに変更し（或いはそのチェンジャコードを記入し）、制御命令情報部分に必要な情報と記憶装置からの再生を指示する情報を書き入れる。そして、それをディスク再生装置間で送信しあい、該当するディスク再生装置がその制御データを受け取って記憶装置からコンテンツデータの再生を行う。
【００９９】
以上のように、本実施形態のデータ再生システムおよびデータ再生方法では、コンテンツデータを分散して保存することにより、１つのコンテンツデータに対する再生指示が相前後して発せられた場合に、記録媒体のローディング処理を行うディスク再生装置とは別のディスク再生装置で記憶装置からの読み出しを行わせることが可能となる。そのため、前記第１の実施の形態に記載された発明の効果に加えて、再生時に特定のディスク再生装置にかかる負荷を軽減することが可能となる。
【０１００】
また、図１に示したようにディスク再生装置２０ａ、２０ｂ、２０ｃ、…を直列に接続すれば、前述したようなディスク再生装置間の再生指示の交信がし易くなり、また、図２に示したように制御装置３０に対してディスク再生装置２０ａ、２０ｂ、２０ｃ、…を並列に接続すれば、本実施形態のデータ再生方法により、接続線３にかかる負荷をも軽減することが可能となる。
【０１０１】
［第４の実施の形態］
前記第３の実施の形態において、すべてのディスク再生装置の記録媒体に記録されているコンテンツデータを記憶装置に保存する代わりに、すべてのコンテンツデータのうち再生頻度が高いコンテンツデータを選択して、そのコンテンツデータが記録された記録媒体を収容していないディスク再生装置の記憶装置に分散させて保存するように構成することも可能である。
【０１０２】
このように構成することにより、前記第１〜第３の実施の形態に記載された発明の効果をすべて有効に発揮させることが可能となる。
【０１０３】
［第５の実施の形態］
前記第１〜第４の実施の形態におけるディスク再生装置に接続された記憶装置の代わりに、或いはそれらの記憶装置に加えて、制御装置にＨＤＤ等の記憶装置を接続するように構成することも可能である。この場合、制御装置の記憶装置に、すべてのディスク再生装置のコンテンツデータを保存してもよいし、再生頻度の高いコンテンツデータだけを保存しておくように構成することも可能である。コンテンツデータの量が比較的大量になるため、制御装置の記憶装置にはコンテンツデータを圧縮して保存することが好ましい。
【０１０４】
ディスク再生装置に接続された記憶装置の代わりに制御装置に記憶装置を接続する場合には、前記第３の実施の形態に示したデータ再生方法の手順は、自機が再生動作中であるとしてディスク再生装置のマイクロコンピュータから制御データが返送されてくると制御装置のマイクロコンピュータは自らに接続された記憶装置から目的のコンテンツデータを読み出して出力装置に送信するというように変わる。或いは制御装置がディスク再生装置の再生状態を管理し、再生指示されたコンテンツデータを収容するディスク再生装置がすでに再生動作中である場合には、制御装置に接続された記憶装置に記憶されたコンテンツデータを再生するようにしてもよい。
【０１０５】
また、ディスク再生装置に接続された記憶装置に加えて制御装置に記憶装置を接続する場合には、前記第３の実施の形態に示したデータ再生方法の手順どおり処理した後、記憶装置からの目的のコンテンツデータの読み出しを指示されたディスク再生装置から読み出し動作中であるとして制御データが返送されてきた場合に、制御装置のマイクロコンピュータは自らに接続された記憶装置から目的のコンテンツデータを読み出して出力装置に送信するというようになる。或いは、記憶装置からの読み出しについてはディスク再生装置と制御装置との間で調整して行うように再生手順を構成することも可能である。
【０１０６】
このように、制御装置に記憶装置を設けることにより、ディスク再生装置における再生の負荷が軽減されるとともに、人気があるコンテンツに再生指示が集中するような場合にも有効に対処することができる。
【０１０７】
なお、前記各実施形態における記述は、本発明に係るデータ再生システムおよびデータ再生方法の一例を示すものであり、これに限定されるものではない。特に、データ再生システムの細部構成および詳細動作に関しては、本発明の趣旨を逸脱しない範囲で適宜変更可能である。
【０１０８】
例えば、前記各実施形態では、データ再生システムには、１つのコンテンツデータが記録された記録媒体はディスク再生装置のうちのいずれか１つに収容されていることを前提に記載されているが、同一のコンテンツデータが記録された複数の記録媒体が複数のディスク再生装置に分散して収容されていてもよい。
【０１０９】
また、同一のコンテンツデータを複数のディスク再生装置の記憶装置に分散させて保存しておき、バックアップ処理を行うように構成することも可能である。
【図面の簡単な説明】
【０１１０】
【図１】第１の実施形態のデータ再生システムの構成を示すブロック図である。
【図２】図１のデータ再生システムのディスク再生装置を並列に接続した構成を示すブロック図である。
【図３】出力装置の制御構成を示すブロック図である。
【図４】ディスク再生装置の構成を示す概略図であり、（Ａ）は内部構造の上面図、（Ｂ）は装置の正面図である。
【図５】ディスク再生装置の制御構成を示すブロック図である。
【図６】制御装置の制御構成を示すブロック図である。
【図７】データ再生方法の手順を示すフローチャートである。
【符号の説明】
【０１１１】
１    データ再生システム
１０、１０ａ、１０ｂ  出力装置
２０、２０ａ、２０ｂ、２０ｃ  ディスク再生装置
２１、２１ａ、２１ｂ、２１ｃ  記憶装置
３０  制御装置
【図１】
2006024311.tif 000003
【図２】
2006024311.tif 000004
【図３】
2006024311.tif 000005
【図４】
2006024311.tif 000006
【図５】
2006024311.tif 000007
【図６】
2006024311.tif 000008
【図７】
2006024311.tif 000009